(57)【要約】【課題】ライフル管の内面の欠陥の検出精度を向上させる。【解決手段】内面から突出して軸線方向Ｏに向かうに従って周方向に捻じれる螺旋リブ４を有するライフル管１内に挿入される渦電流探傷プローブ１０であって、ケーブル１１と、該ケーブル１１の先端に設けられたプローブ本体２０と、を備え、該プローブ本体２０は、軸線Ｏを中心として延びてライフル管１の螺旋リブ４の内側に挿入される円柱状をなすヘッド２１と、該ヘッド２１の外面に軸線を囲うように巻き掛けられているとともに軸線Ｏ方向に間隔をあけて設けられた一対のコイル３０と、を有し、一対のコイル３０の軸線Ｏ方向の間隔が、ライフル管１における螺旋リブ４のピッチと同一とされている。【選択図】図１
2020148771.tif 000002
【特許請求の範囲】
【請求項１】
内面から突出して軸線方向に向かうに従って周方向に捻じれる螺旋リブを有するライフル管内に挿入される渦電流探傷プローブであって、
ケーブルと、
該ケーブルの先端に設けられたプローブ本体と、
を備え、
該プローブ本体は、
前記軸線を中心として延びて前記ライフル管の前記螺旋リブの内側に挿入される円柱状をなすヘッドと、
該ヘッドの外面に前記軸線を囲うように巻き掛けられているとともに前記軸線方向に間隔をあけて設けられた一対のコイルと、
を有し、
前記一対のコイルの前記軸線方向の間隔が、前記ライフル管における前記螺旋リブのピッチと同一とされている渦電流探傷プローブ。
【請求項２】
前記コイルに隣接して設けられ、それぞれ周方向に複数配列された分割コイルからなるコイル群をさらに備える請求項１に記載の渦電流探傷プローブ。
【請求項３】
前記コイルの少なくとも一方を前記軸線方向から挟むように前記ヘッドに設けられて、それぞれ周方向に複数配列された分割コイルからなる一対のコイル群をさらに備える請求項１に記載の渦電流探傷プローブ。
【請求項４】
内面から突出して軸線方向に向かうに従って周方向に捻じれる螺旋リブを有するライフル管内に挿入される渦電流探傷プローブであって、
ケーブルと、
該ケーブルの先端に設けられたプローブ本体と、
を備え、
該プローブ本体は、
前記軸線を中心として延びて前記ライフル管の前記螺旋リブの内側に挿入される円柱状をなすヘッドと、
該ヘッドに設けられ、前記軸線を囲うように周方向に配列されているとともに、それぞれ軸線に直交する断面視で環状をなす複数の分割コイルからなるコイル群と、
を有する渦電流探傷プローブ。
【請求項５】
前記コイル群は、前記軸線方向に隣り合うように一対が設けられており、
一方の前記コイル群における隣り合う前記分割コイル同士の隣接領域が、前記軸線方向からみて、他方の前記コイル群における前記分割コイルの周方向中央部に位置している請求項４に記載の渦電流探傷プローブ。
【請求項６】
前記プローブ本体は、
前記ヘッドに一体に設けられて前記ヘッドから前記軸線方向に延びる軸部をさらに有し、
前記軸部の外周面に設けられた円筒状をなして、径方向に弾性を有するスタビライザをさらに備える請求項１から５のいずれか一項に記載の渦電流探傷プローブ。
【請求項７】
前記軸部と前記スタビライザとの間に設けられて、前記スタビライザを前記軸部に対して前記軸線回りに回転可能とする軸受をさらに備える請求項６に記載の渦電流探傷プローブ。
【請求項８】
請求項１から７のいずれか一項に記載の渦電流探傷プローブと、
前記ライフル管と、
を備える配管設備。
【発明の詳細な説明】
【技術分野】
【０００１】
本開示は、渦電流探傷プローブ及び配管設備に関する。
【背景技術】
【０００２】
配管等における傷や減肉などの欠陥を非破壊で検査する方法として渦電流探傷方法が知られている。当該方法では、交流電流が流されたコイルを管の内周面に接近させて、電磁誘導現象によって配管に発生した渦電流の変化を検出する。
【０００３】
例えば特許文献１には、内面にリブを有する管に対しての渦電流探傷方法及び渦電流探傷プローブが開示されている。管のリブは、当該管の内周面から突出して管の延在方向に延びるとともに管の周方向に間隔をあけて複数が形成されている。この渦電流探傷方法では、各リブの間に配置されるコイルを備えた渦電流探傷プローブを、リブの延びる方向に移動させることにより管の欠陥を検出する。
【先行技術文献】
【特許文献】
【０００４】
【特許文献１】特開２００８−１５７８９８号公報
【発明の概要】
【発明が解決しようとする課題】
【０００５】
ここで、例えば、石炭ガス化複合発電の排ガスクーラの伝熱管には伝熱効率向上を目的としてライフル管が適用されている。このライフル管の内面には旋回流の発生を目的とした螺旋リブが形成されている。このようなライフル管であっても内面の減肉等の欠陥を精度高く検出できることが求められている。
【０００６】
このようなライフル管のリブの形状は。上記特許文献１の渦電流探傷プローブの対象となる管のリブの形状とは異なる。そのため、当該渦電流探傷プローブを用いてライフル管の欠陥を精度よく検出することはできない。
【０００７】
本発明はこのような事情に鑑みてなされたものであって、ライフル管の内面の減肉等の欠陥の検出精度を向上させることができる渦電流探傷プローブ及び配管設備を提供することを目的とする。
【課題を解決するための手段】
【０００８】
本発明は、上記課題を解決するため、以下の手段を採用している。
【０００９】
即ち、本発明の一態様に係る渦電流探傷プローブは、内面から突出して軸線方向に向かうに従って周方向に捻じれる螺旋リブを有するライフル管内に挿入される渦電流探傷プローブであって、ケーブルと、該ケーブルの先端に設けられたプローブ本体と、を備え、該プローブ本体は、前記軸線を中心として延びて前記ライフル管の前記螺旋リブの内側に挿入される円柱状をなすヘッドと、該ヘッドの外面に前記軸線を囲うように巻き掛けられているとともに前記軸線方向に間隔をあけて設けられた一対のコイルと、を有し、前記一対のコイルの前記軸線方向の間隔が、前記ライフル管における前記螺旋リブのピッチと同一とされている。
【００１０】
本発明の一態様に係る配管設備は、上記の渦電流探傷プローブと、前記ライフル管と、を備える。
【００１１】
上記構成の渦電流探傷プローブは、ライフル管の内側に挿入されて前進する。この際、ヘッドの外面に巻き掛けられた一対のコイルのそれぞれによってライフル管の内面の形状に従った検出信号が検出される。一対のコイルのそれぞれの検出信号の差分を出力とすることで、プローブ本体の姿勢のがたつき等による誤差を取り除かれる。
【００１２】
ここで、ライフル管の内面形状は、螺旋リブの存在によって該ライフル管の延在方向に向かうにつれて姿勢のみが変化する一様な形状となる。即ち、ライフル管の延在方向に進めば、同様の内面形状が回転しながら現れることになる。各コイルでは、軸線方向で変化するライフル管の螺旋リブの形状に従った周期的なノイズを含む検出信号が取得される。
【００１３】
仮に一対のコイルの間隔が螺旋リブのピッチと異なる寸法の場合、これらコイルの位置でのライフル管の内面形状は異なるものとなる。即ち、これらコイルの位置での内面形状は、互いに回転対称な形状となり、各コイルと螺旋リブとの位置関係は異なるものとなる。この場合、各コイルは異なる内面形状での検出信号を取得することになるため、これらの検出信号の差分を出力としても周期的なノイズを除去し切ることができない。
【００１４】
これに対して本態様では、一対のコイルの間隔と螺旋リブのピッチとが同一であるため、各コイルの位置でのライフル管の内面形状も同一となる。したがって、各コイルと螺旋リブとの位置関係が同一となる。各コイルに発生する周期的なノイズは、螺旋リブのピッチに沿って同一なものとなる。そのため、各コイルの検出信号の差分を取ることで周期的なノイズを除去することができる。
【００１５】
上記の渦電流探傷プローブは、前記コイルに隣接して設けられ、それぞれ周方向に複数配列された分割コイルからなるコイル群をさらに備えることが望ましい。
【００１６】
上記の構成によれば、複数の分割コイルからなるコイル群が当該コイルに隣接して配置されている。各分割コイルは周方向に配列され、それぞれ独立して異常箇所を検出することが可能である。コイルの検出信号を分割コイルで受信することで、異常箇所の周方向位置を特定することができる。
【００１７】
なお、分割コイルのみを備える構成では発生する渦電流の電流値が小さくなることが懸念される。しかしながら、上記構成によれば全周にわたって設けられたコイルと分割コイルとを併存させている。これにより、コイルが発生させる比較的に大きな渦電流を分割コイルが受信することで、高精度かつ安定的に検出を行うことができる。
【００１８】
上記の渦電流探傷プローブは、前記コイルの少なくとも一方を前記軸線方向から挟むように前記ヘッドに設けられて、それぞれ周方向に複数配列された分割コイルからなる一対のコイル群をさらに備えることが望ましい。
【００１９】
ここで、コイルはヘッドの外面の全周にわたって巻き掛けられていることから、ライフル管の内部に減肉部等の異常箇所が存在する場合、その周方向における位置を特定することが難しい。しかしながら、上記の構成によれば、複数の分割コイルからなるコイル群が当該コイルを軸線方向から挟むように配置されている。各分割コイルは周方向に配列され、それぞれ独立して異常箇所を検出することが可能である。コイルの検出信号を分割コイルで受信することで、異常箇所の周方向位置を特定することができる。
【００２０】
なお、分割コイルのみを備える構成では発生する渦電流の電流値が小さくなることが懸念される。しかしながら、上記構成によれば全周にわたって設けられたコイルと分割コイルとを併存させている。これにより、コイルが発生させる比較的に大きな渦電流を分割コイルが受信することで、高精度かつ安定的に検出を行うことができる。
【００２１】
本発明の一態様に係る渦電流探傷プローブは、内面から突出して軸線方向に向かうに従って周方向に捻じれる螺旋リブを有するライフル管内に挿入される渦電流探傷プローブであって、ケーブルと、該ケーブルの先端に設けられたプローブ本体と、を備え、該プローブ本体は、前記軸線を中心として延びて前記ライフル管の前記螺旋リブの内側に挿入される円柱状をなすヘッドと、該ヘッドに設けられ、前記軸線を囲うように周方向に配列されているとともに、それぞれ軸線に直交する断面視で環状をなす複数の分割コイルからなるコイル群と、を有する。
【００２２】
上記構成の渦電流探傷プローブでは、複数の分割コイルからなるコイル群がヘッドに設けられている。各分割コイルは周方向に配列され、それぞれ独立して異常箇所を検出することが可能である。複数の分割コイルのうち、いずれの分割コイルが異常な信号を検出したかを特定することで、ライフル管の内部における異常箇所の周方向位置を高精度に検出することができる。
【００２３】
上記の渦電流探傷プローブでは、前記コイル群は、前記軸線方向に隣り合うように一対が設けられており、一方の前記コイル群における隣り合う前記分割コイル同士の隣接領域が、前記軸線方向からみて、他方の前記コイル群における前記分割コイルの周方向中央部に位置していることが望ましい。
【００２４】
ここで、分割コイル同士の隣接領域、つまり分割コイルの周方向における端部では、他の部分に比べて渦電流が小さくなることから、異常箇所を検出する感度が低下する懸念がある。しかしながら、上記構成では、一方のコイル群における分割コイル同士の隣接領域に、隣り合う他方のコイル群における分割コイルの周方向中央部が位置している。これにより、軸線方向から見て、上記の隣接領域のみが外周側に露出している部分が無くなる。その結果、周方向の全域にわたって均一かつ高い感度のもとで検出を行うことが可能となる。
【００２５】
上記の渦電流探傷プローブでは、前記プローブ本体は、前記ヘッドに一体に設けられて前記ヘッドから軸線方向に延びる軸部をさらに有し、前記軸部の外周面に設けられた円筒状をなして、径方向に弾性を有するスタビライザをさらに備えることが好ましい。
【００２６】
スタビライザの外面がライフル管の内面に弾性的に当接することで、軸部及びこれに一体とされたヘッドをライフル管の中心に調心することができる。これにより、ヘッドの姿勢を適切に維持することができる。
【００２７】
上記の渦電流探傷プローブでは、前記軸部と前記スタビライザとの間に設けられて、前記スタビライザを前記軸部に対して前記軸線回りに回転可能とする軸受をさらに備えていてもよい。
【００２８】
上記構成により、スタビライザはライフル管の螺旋リブの形状にしたがって軸部に対して自由に相対回転することができる。これによって、スタビライザによる軸部及びヘッドの調心性をより向上させることができる。
【発明の効果】
【００２９】
本発明の渦電流探傷プローブ及び配管設備によれば、ライフル管内面減肉等の欠陥の検出精度を向上させることができる。
【図面の簡単な説明】
【００３０】
【図１】本発明の第一実施形態に係る配管設備におけるライフル管の縦断面図及び渦電流探傷プローブの側面図である。
【図２】本発明の第一実施形態に係る配管設備におけるライフル管の縦断面図である。
【図３】本発明の第一実施形態に係る配管設備における渦電流探傷プローブの縦断面図である。
【図４】図１のＩＶ−ＩＶ断面図である。
【図５】本発明の第二実施形態に係る渦電流探傷プローブの縦断面図である。
【図６】図５のＶＩ−ＶＩ線における矢視図である。
【図７】本発明の第三実施形態に係る渦電流探傷プローブの縦断面図である。
【図８】図７のＶＩＩＩ−ＶＩＩＩ線における矢視図である。
【図９】本発明の第四実施形態に係る渦電流探傷プローブの縦断面図である。
【図１０】図９のＸ−Ｘ線における矢視図である。
【図１１】本発明の第五実施形態に係る渦電流プローブの縦断面図である。
【発明を実施するための形態】
【００３１】
＜第一実施形態＞
【００３２】
以下、本発明の第一実施形態に係る配管設備１００について、図１〜図４を参照して説明する。
【００３３】
図１に示すように配管設備１００は、渦電流探傷の対象となるライフル管１と、該ライフル管１内に挿入される渦電流探傷プローブ１０とを備える。
【００３４】
＜ライフル管＞
【００３５】
図２に示すようにライフル管１は、内部が中空とされた管状をなしている。ライフル管１は、例えば石炭ガス化複合発電設備で排ガスを冷却するための排ガスクーラの伝熱管として用いられている。
【００３６】
ライフル管１の内面２は、円筒内周面３と螺旋リブ４とによって形成されている。
【００３７】
図２に示すように、円筒内周面３は、ライフル管１の延在方向に延びる軸線Ｏを中心とした円筒面状をなしている。円筒内周面３は、軸線Ｏ方向で一様の内径とされている。
【００３８】
螺旋リブ４は、円筒内周面３から径方向内側に突出している。螺旋リブ４は、軸線Ｏ方向一方側に向かうに従って周方向一方側に捻じれるように延びる螺旋状をなしている。螺旋リブ４の軸線Ｏを含む断面形状は、ライフル管１の径方向内側に向かうに従って螺旋リブ４の幅方向の寸法が小さくなる凸型をなしている。螺旋リブ４のピッチＰは、軸線方向で一様とされている。
【００３９】
図４に示すように、ライフル管１の内面２の軸線Ｏ方向の任意の断面形状は、円筒内周面３と螺旋リブ４とが存在する形状とされている。円筒内周面３は、周方向の一部領域で、軸線Ｏを中心とする仮想円に沿う円弧状をなしている。螺旋リブ４は、ライフル管１の内面２の周方向の残りの領域で、軸線Ｏを中心とする仮想円の径方向内側に位置する曲線状をなしている。
【００４０】
ライフル管１の内面２の上記断面形状は、ライフル管１の延在方向に向かうにつれて姿勢のみが変化する一様な形状となる。即ち、ライフル管１の延在方向に進めば、同様の上記断面形状が回転しながら現れることになる。
【００４１】
ライフル管１の外周面５には、螺旋リブ４に対応する螺旋状をなす凹溝６が形成されている。
【００４２】
＜渦電流探傷プローブ＞
【００４３】
次に渦電流探傷プローブ１０について説明する。
【００４４】
図２及び図３に示すように、渦電流探傷プローブ１０は、ケーブル１１、プローブ本体２０、軸受４１及びスタビライザ５０を有する。
【００４５】
＜ケーブル＞
【００４６】
ケーブル１１は、可撓性を有する長尺状をなす部材である。ケーブル１１の内部には、電源用の配線や信号用の配線が該ケーブル１１の延在方向に延びるように収容されている。
【００４７】
＜プローブ本体＞
【００４８】
プローブ本体２０は、ケーブル１１の先端に設けられている。なお、プローブ本体２０は、必ずしもケーブル１１の先端に設けられていなくてもよい。
【００４９】
プローブ本体２０は、ヘッド２１、コイル３０、軸部としての第一軸部３１及び第二軸部３２を有している。
【００５０】
≪ヘッド≫
【００５１】
ヘッド２１は、軸線Ｏを中心として延びる概略円柱状をなしている。ヘッド２１の径方向外側を向く外面２２は、軸線を中心として一様な外径で延びる円筒面状をなしている。  ヘッド２１の外面２２の外径は、ライフル管１の螺旋リブ４の内径に対応した寸法とされており、本実施形態では、螺旋リブ４の内径よりも僅かに小さい寸法とされている。
【００５２】
≪コイル≫
【００５３】
図１及び図３に示すように、コイル３０は、ヘッド２１の外周面に軸線Ｏを囲うように巻き掛けられたリング状をなしている。本実施形態では、軸線Ｏ方向に互いに離間して一対のコイル３０が設けられている。一対のコイル３０は、互いに同一の構成をなしている。これらコイル３０はそれぞれが、励磁及び受信を兼ねた機能を有する。一対のコイル３０のそれぞれの検出信号の差分を出力とすることで、プローブ本体２０の姿勢のがたつき等による誤差を取り除くことができる。
【００５４】
図３に示すように、コイル３０は、ヘッド２１の外面２２に周方向にわたって凹むように形成されたコイル用溝２５に嵌め込まれている。コイル３０の外周面の形状は、コイル用溝２５が形成された位置でのヘッド２１の外面２２の形状と同一とされている。
【００５５】
一対のコイル３０の軸線Ｏ方向の間隔Ｄは、ライフル管１の螺旋リブ４のピッチＰと同一に設定されている。
【００５６】
≪第一軸部≫
【００５７】
第一軸部３１は、軸線Ｏを中心として延びる円柱状をなしている。第一軸部３１の外径は、ヘッド２１の外径よりも小さい。第一軸部３１は、ヘッド２１のケーブル１１側となる後端側にヘッド２１と同軸かつ一体に設けられている。第一軸部３１の後端はプローブ本体２０の後端をなしており、ケーブル１１の先端に固定されている。
【００５８】
≪第二軸部≫
【００５９】
第二軸部３２は、軸線Ｏを中心として延びる円柱状をなしている。第二軸部３２の外径は、ヘッド２１の外径よりも小さい。第二軸部３２は、ヘッド２１の先端側に同軸かつ一体に固定されている。第一軸部３１の先端はプローブ本体２０の先端をなしている。
【００６０】
≪軸受≫
【００６１】
軸受４１は、第一軸部３１及び第二軸部３２に対応するように一対が設けられている。軸受４１は第一軸部３１及び第二軸部３２のそれぞれ外面２２に外嵌される円筒状をなしている。軸受４１は、周方向に回転するいわゆる転がり軸受４１として構成されている。
【００６２】
≪スタビライザ≫
【００６３】
図１及び図３に示すスタビライザ５０は、プローブ本体２０を調心する役割を有する。即ち、スタビライザ５０は、プローブ本体２０の姿勢をライフル管１と同軸に維持する。スタビライザ５０の軸線Ｏ方向の寸法は、ライフル管１における螺旋溝２４のピッチＰよりも大きい。
【００６４】
スタビライザ５０は、第一軸部３１及び第二軸部３２に対応するように一対が設けられている。スタビライザ５０は例えば樹脂等の可撓性をなす材料から形成されている。スタビライザ５０は、固定部５１及び弾性部５２を有する。
【００６５】
≪固定部≫
【００６６】
固定部５１は、それぞれ第一軸部３１の外周側の軸受４１及び第二軸部３２の外周側の軸受４１に同軸に外嵌される円筒状をなしている。固定部５１が軸受４１に固定されていることで、スタビライザ５０は第一軸部３１、第二軸部３２に対して軸線Ｏ回りに自由に相対回転可能とされている。
【００６７】
≪弾性部≫
【００６８】
弾性部５２は、固定部５１の外周側で該固定部５１と同軸に配置された円筒形状をなしている。弾性部５２の軸線Ｏ方向両側の端部は、径方向内側に向かって延びて、固定部５１の軸線Ｏ方向両側の端部に接続されている。弾性部５２における軸線Ｏ方向の中間部分は、径方向外側に向かって膨出した形状をなしている。弾性部５２と固定部５１との間には、軸線Ｏ方向にわたって空間が形成されている。弾性部５２の外径は、ライフル管１の螺旋溝２４の内径よりも大きく設定されている。
【００６９】
図１に示すように、弾性部５２には、該弾性部５２を径方向に貫通するとともに軸線Ｏ方向を長手方向として延びるスリット５４が形成されている。弾性部５２は、弾性部５２の周方向全域に該周方向に間隔をあけて複数が形成されている。これによって、弾性部５２における周方向に隣り合うスリット５４に挟まれた部分に、軸線Ｏ方向を長手方向として延びて径方向に弾性を発揮する板バネ５３が形成されている。
【００７０】
＜作用効果＞
【００７１】
以上のような構成の配管設備１００でライフル管１の内面２の検査を行う際には、ライフル管１内に渦電流探傷プローブ１０を挿入していく。これによってヘッドが前進し、ヘッドの外面に巻き掛けられた一対のコイルのそれぞれによってライフル管の内面の形状に従った検出信号が検出される。一対のコイルのそれぞれの検出信号の差分を出力とすることで、プローブ本体の姿勢のがたつき等による誤差を取り除かれる。
【００７２】
ここで、各コイル３０では、軸線方向で変化するライフル管１の螺旋リブ４の形状に従った周期的なノイズを含む検出信号が取得される。
【００７３】
仮に一対のコイル３０の間隔Ｄが螺旋リブ４のピッチＰと異なる寸法の場合、これらコイル３０の位置でのライフル管１の内面形状は異なるものとなる。即ち、これらコイル３０の位置での内面形状は、螺旋リブ４の存在により互いに回転対称な形状となる。そのため、各コイル３０と螺旋リブ４との位置関係は異なるものとなる。この場合、各コイル３０は異なる内面形状での検出信号を取得することになるため、これらの検出信号の差分を出力としても周期的なノイズを除去し切ることができない。
【００７４】
このような課題に対して本実施形態では、一対のコイル３０の間隔Ｄと螺旋リブ４のピッチＰとが同一に設定されている。そのため、各コイル３０の位置でのライフル管１の内面形状も同一となる。したがって、各コイル３０と螺旋リブ４との位置関係が同一となり、各コイル３０に発生する周期的なノイズは、螺旋リブ４のピッチＰに沿って同一なものとなる。そのため、各コイル３０の検出信号の差分を取ることで周期的なノイズを除去することができる。これによって、出力のノイズを低く抑えることが可能となる。
【００７５】
したがって、一対のコイルによるライフル管の内面２の減肉等の欠陥の検出性（ＳＮ比）を向上させ、検査の高速化も図ることができる。
【００７６】
また、プローブ本体２０をライフル管１に挿入させると、スタビライザ５０の外面２２の板バネ５３がライフル管１の内面２の螺旋リブ４に弾性的に当接する。本実施形態では、スタビライザ５０の外面２２は、軸線Ｏを含む断面で少なくとも３か所が螺旋リブ４に当接する。これにより、軸部及びこれに一体とされたヘッド２１をライフル管１の中心に調心することができ、ライフル管１とプローブ本体２０との同軸性を担保することができる。
【００７７】
これにより、ヘッド２１の姿勢を適切に維持することができるため、ヘッド２１が不用意に傾いてしまい減肉等の欠陥検出性に影響を及ぼすことを回避できる。そのため、ヘッド２１の外面２２とライフル管１の内面２との間のギャップをより確実に少量かつ一定とすることができる。
【００７８】
さらに本実施形態では、スタビライザ５０は軸受４１を介してプローブ本体２０に対して相対回転可能とされている。そのため、スタビライザ５０は、ライフル管１の螺旋リブ４の形状にしたがってプローブ本体２０に対して自由に相対回転することができる。これによって、スタビライザ５０によるプローブ本体２０の調心性をより向上させることができる。
【００７９】
＜第二実施形態＞
【００８０】
次に、本発明の第二実施形態について、図５と図６を参照して説明する。なお、上記の第一実施形態と同様の構成については同一の符号を付し、詳細な説明を省略する。図５に示すように、本実施形態では、上記のコイル３０に加えて、コイル群３３Ａ，３３Ｂが当該コイル３０の軸線Ｏ方向両側に設けられている。コイル群３３Ａ，３３Ｂは、コイル３０に対して隙間なく配列されることで、当該コイル３０を軸線Ｏ方向両側から挟んでいる。
【００８１】
次いで、図６を参照してコイル群３３Ａ，３３Ｂの構成について説明する。なお、図６では、図示簡略化のため、コイル群３３Ａ，３３Ｂの間に設けられたコイル３０の図示を省略している。同図に示すように、各コイル群３３Ａ，３３Ｂは、軸線Ｏに対する周方向に配列された複数（一例として４つ）の分割コイルＣ１，Ｃ２を有している。分割コイルＣ１，Ｃ２は、それぞれ軸線Ｏに直交する断面視で、ヘッド２１の外面２２に沿う円弧状の部分と、この円弧の端部同士を接続する直線状の部分とによって形成された環状をなしている。なお、この端部同士を接続する部分は直線状に限られず、設計や仕様に応じて任意の形状を採ることが可能である。図６の例では、このような分割コイルＣ１が周方向に９０°ずつ向きを変えて４つ配列されることで一方側のコイル群３３Ａが構成されている（図６中の実線）。
【００８２】
一方で、他方側のコイル群３３Ｂは、４つの分割コイルＣ２の周方向位置が、分割コイルＣ１とは４５°ずつ異なっている。これにより、互いに隣接する分割コイルＣ１同士の間の隣接領域Ａ（つまり、分割コイルＣ１の端部同士が接する領域）は、軸線Ｏ方向から見た場合、分割コイルＣ２の周方向における中央部と重複している。
【００８３】
ここで、コイル３０はヘッド２１の外面２２の全周にわたって巻き掛けられていることから、ライフル管１の内部に減肉部等の異常箇所が存在する場合、その周方向における位置を特定することが難しい。しかしながら、上記の構成によれば、それぞれ複数の分割コイルＣ１，Ｃ２からなるコイル群３３Ａ，３３Ｂが当該コイル３０を軸線Ｏ方向から挟むように配置されている。各分割コイルＣ１，Ｃ２は周方向に配列され、それぞれ独立して異常箇所を検出することが可能である。コイル３０の検出信号を分割コイルＣ１，Ｃ２で受信することで、異常箇所の周方向位置を特定することができる。
【００８４】
なお、分割コイルＣ１，Ｃ２のみを備える構成（つまり、コイル３０を備えない構成）では発生する渦電流の電流値が小さくなることが懸念される。しかしながら、上記構成によれば全周にわたって設けられたコイル３０と分割コイルＣ１，Ｃ２とを併存させている。これにより、コイル３０が発生させる比較的に大きな渦電流を分割コイルＣ１，Ｃ２が受信することで、高精度かつ安定的に検出を行うことができる。
【００８５】
ここで、分割コイルＣ１，Ｃ２同士の隣接領域Ａ、つまり分割コイルＣ１，Ｃ２の周方向における端部では、他の部分に比べて渦電流が小さくなることから、異常箇所を検出する感度が低下する懸念がある。しかしながら、上記構成では、一方のコイル群３３Ａにおける分割コイルＣ１，Ｃ１同士の隣接領域Ａに、他方のコイル群３３Ｂにおける分割コイルＣ２の周方向中央部が位置している。これにより、軸線Ｏ方向から見て、上記の隣接領域Ａのみが外周側に露出している部分が無くなる。その結果、周方向の全域にわたって均一かつ高い感度のもとで検出を行うことが可能となる。
【００８６】
＜第三実施形態＞
【００８７】
続いて、本発明の第三実施形態について、図７と図８を参照して説明する。なお、上記の各実施形態と同様の構成については同一の符号を付し、詳細な説明を省略する。図７に示すように、本実施形態では、ヘッド２１に一対のコイル群３０Ｓ，３０Ｓが軸線Ｏ方向に間隔をあけて設けられている。コイル群３０Ｓ，３０Ｓ同士の間の距離は、上記第一実施形態と同様である。図８に示すように、各コイル群３０Ｓは、軸線Ｏに対する周方向に配列された複数（一例として４つ）の分割コイルＣｓを有している。分割コイルＣｓは、それぞれヘッド２１の外面２２に沿う円弧状の部分と、この円弧の端部同士を接続する直線状の部分とによって形成された環状をなしている。なお、この端部同士を接続する部分は直線状に限られず、設計や仕様に応じて任意の形状を採ることが可能である。図８の例では、このような分割コイルＣｓが周方向に９０°ずつ向きを変えて４つ配列されることでコイル群３０Ｓが構成されている。
【００８８】
上記構成の渦電流探傷プローブ１０では、複数の分割コイルＣｓからなるコイル群３０Ｓがヘッド２１に設けられている。各分割コイルＣｓは周方向に配列され、それぞれ独立して異常箇所を検出することが可能である。複数の分割コイルＣｓのうち、いずれの分割コイルＣｓが異常な信号を検出したかを特定することで、ライフル管１の内部における異常箇所の周方向位置を高精度に検出することができる。
【００８９】
＜第四実施形態＞
【００９０】
次いで、本発明の第四実施形態について、図９と図１０を参照して説明する。なお、上記の各実施形態と同様の構成については同一の符号を付し、詳細な説明を省略する。図９に示すように、本実施形態では、上述の第二実施形態で説明した構成のうち、コイル３０を備えず、コイル群３３Ａ，３３Ｂのみを備える構成を採っている。つまり、これらコイル群３３Ａ，３３Ｂは軸線Ｏ方向から互いに隙間なく隣接している。
【００９１】
図１０に示すように、各コイル群３３Ａ，３３Ｂは、軸線Ｏに対する周方向に配列された複数（一例として４つ）の分割コイルＣ１，Ｃ２を有している。分割コイルＣ１，Ｃ２は、それぞれヘッド２１の外面２２に沿う円弧状の部分と、この円弧の端部同士を接続する直線状の部分とによって形成された環状をなしている。なお、この端部同士を接続する部分は直線状に限られず、設計や仕様に応じて任意の形状を採ることが可能である。図６の例では、このような分割コイルＣ１が周方向に９０°ずつ向きを変えて４つ配列されることで一方側のコイル群３３Ａが構成されている（図６中の実線）。一方で、他方側のコイル群３３Ｂは、４つの分割コイルＣ２の周方向位置が、分割コイルＣ１とは４５°ずつ異なっている。これにより、互いに隣接する分割コイルＣ１同士の間の隣接領域Ａ（つまり、分割コイルＣ１の端部同士が接する領域）は、軸線Ｏ方向から見た場合、分割コイルＣ２の周方向における中央部と重複している。
【００９２】
ここで、コイル３０はヘッド２１の外面２２の全周にわたって巻き掛けられていることから、ライフル管１の内部に減肉部等の異常箇所が存在する場合、その周方向における位置を特定することが難しい。しかしながら、上記の構成によれば、それぞれ複数の分割コイルＣ１，Ｃ２からなるコイル群３３Ａ，３３Ｂが当該コイル３０を軸線Ｏ方向から挟むように配置されている。各分割コイルＣ１，Ｃ２は周方向に配列され、それぞれ独立して異常箇所を検出することが可能である。コイル３０の検出信号を分割コイルＣ１，Ｃ２で受信することで、異常箇所の周方向位置を特定することができる。
【００９３】
ここで、分割コイルＣ１，Ｃ２同士の隣接領域Ａ、つまり分割コイルＣ１，Ｃ２の周方向における端部では、他の部分に比べて渦電流が小さくなることから、異常箇所を検出する感度が低下する懸念がある。しかしながら、上記構成では、一方のコイル群３３Ａにおける分割コイルＣ１，Ｃ１同士の隣接領域Ａに、他方のコイル群３３Ｂにおける分割コイルＣ２の周方向中央部が位置している。これにより、軸線Ｏ方向から見て、上記の隣接領域Ａのみが外周側に露出している部分が無くなる。その結果、周方向の全域にわたって均一かつ高い感度のもとで検出を行うことが可能となる。
【００９４】
＜第五実施形態＞
【００９５】
次に、本発明の第五実施形態について、図１１を参照して説明する。なお、上記の各実施形態と同様の構成については同一の符号を付し、詳細な説明を省略する。図１１に示すように、本実施形態では、第一実施形態で説明したコイル３０に加えて、第二実施形態で説明したコイル群３３Ａ，３３Ｂのうちコイル群３３Ａのみが当該コイル３０の軸線Ｏ方向に隣接して設けられている。コイル群３３Ａは、コイル３０に対して隙間なく配列される。なお、コイル群３３Ａに代えて、上記のコイル群３３Ｂとコイル３０のみを備える構成を採ることも可能である。つまり、コイル３０におけるいずれか一方側にコイル群３３Ａ又はコイル群３３Ｂが設けられていればよい。
【００９６】
第二実施形態で説明したものと同様に、コイル群３３Ａは、軸線Ｏに対する周方向に配列された複数（一例として４つ）の分割コイルＣ１を有している。分割コイルＣ１は、軸線Ｏに直交する断面視で、ヘッド２１の外面２２に沿う円弧状の部分と、この円弧の端部同士を接続する直線状の部分とによって形成された環状をなしている。なお、この端部同士を接続する部分は直線状に限られず、設計や仕様に応じて任意の形状を採ることが可能である。このような分割コイルＣ１が周方向に９０°ずつ向きを変えて４つ配列されることでコイル群３３Ａが構成されている。
【００９７】
ここで、コイル３０はヘッド２１の外面２２の全周にわたって巻き掛けられていることから、ライフル管１の内部に減肉部等の異常箇所が存在する場合、その周方向における位置を特定することが難しい。しかしながら、上記の構成によれば、複数の分割コイルＣ１からなるコイル群３３Ａが当該コイル３０を軸線Ｏ方向から挟むように配置されている。各分割コイルＣ１は周方向に配列され、それぞれ独立して異常箇所を検出することが可能である。コイル３０の検出信号を分割コイルＣ１で受信することで、異常箇所の周方向位置を特定することができる。
【００９８】
なお、分割コイルＣ１のみを備える構成（つまり、コイル３０を備えない構成）では発生する渦電流の電流値が小さくなることが懸念される。しかしながら、上記構成によれば全周にわたって設けられたコイル３０と分割コイルＣ１とを併存させている。これにより、コイル３０が発生させる比較的に大きな渦電流を分割コイルＣ１が受信することで、高精度かつ安定的に検出を行うことができる。
【００９９】
以上、本発明の実施の形態について説明したが、本発明はこれに限定されることなく、その発明の技術的思想を逸脱しない範囲で適宜変更可能である。
【符号の説明】
【０１００】
１    ライフル管
２    内面
３    円筒内周面
４    螺旋リブ
５    外周面
６    凹溝
１０  渦電流探傷プローブ
１１  ケーブル
２０  プローブ本体
２１  ヘッド
２２  外面
２５  コイル用溝
３０  コイル
３０Ｓ  コイル群
３１  第一軸部
３２  第二軸部
３３Ａ，３３Ｂ  コイル群
４１  軸受
５０  スタビライザ
５１  固定部
５２  弾性部
５３  板バネ
５４  スリット
１００       配管設備
Ａ  隣接領域
Ｃ１，Ｃ２，Ｃｓ  分割コイル
Ｏ    軸線
Ｐ    ピッチ
Ｄ    間隔
【図１】
2020148771.tif 000003
【図２】
2020148771.tif 000004
【図３】
2020148771.tif 000005
【図４】
2020148771.tif 000006
【図５】
2020148771.tif 000007
【図６】
2020148771.tif 000008
【図７】
2020148771.tif 000009
【図８】
2020148771.tif 000010
【図９】
2020148771.tif 000011
【図１０】
2020148771.tif 000012
【図１１】
2020148771.tif 000013